(57)【要約】【課題】入力音響信号の入力を中止した場合には、無駄に消費される電力を抑制できると共に、再び入力音響信号を入力さえすれば、何ら煩わしい操作をすることなく調律作業を続行することができる調律装置を提供すること。【解決手段】単安定マルチバイブレータ２６がカウントを開始し、所定時間経過までに、再びＯＲ回路２５からＨｉレベルの信号が出力されない場合（入力音響信号の入力を中止した場合）には、単安定マルチバイブレータ２６はトランジスタ１９のベース側にＬｏｗレベルの信号を出力し、バッテリー１７から主制御回路１１への電源供給を遮断する（省電力モード）。その後、再び入力音響信号が入力され、音響信号検出部２２によって入力音響信号が検出されると、単安定マルチバイブレータ２６はトランジスタ１９のベース側にＨｉレベルの信号を出力し、バッテリー１７から主制御回路１１への電源供給を再開させる（通常モード）。【選択図】　　　　図２
2004109625.tif 000002
【特許請求の範囲】
【請求項１】
入力音響信号のピッチと基準ピッチとの差分を判別して報知する調律装置において、
前記調律装置の所定の回路に通常の電源を供給する通常モードおよび前記所定の回路への電源供給を制限または遮断する省電力モードを有する電源供給手段と、
前記入力音響信号の有無を検出する入力信号検出手段と、
その入力信号検出手段により入力音響信号が検出されると、前記電源供給手段を省電力モードから通常モードに切り換えるよう制御する電源制御手段とを備えていることを特徴とする調律装置。
【請求項２】
入力音響信号のピッチと基準ピッチとの差分を判別して報知する調律装置において、
前記調律装置の所定の回路に通常の電源を供給する通常モードおよび前記所定の回路への電源供給を制限または遮断する省電力モードを有する電源供給手段と、
前記入力音響信号の有無を検出する入力信号検出手段と、
その入力信号検出手段が所定時間入力信号を検出しない場合には、前記電源供給手段を通常モードから省電力モードに切り換えるよう制御する電源制御手段とを備えていることを特徴とする調律装置。
【請求項３】
前記電源制御手段は、前記入力信号検出手段が所定時間入力信号を検出しない場合には、前記電源供給手段を通常モードから省電力モードに切り換えるよう制御するものであることを特徴とする請求項１記載の調律装置。
【発明の詳細な説明】
【０００１】
【発明の属する技術分野】本発明は、調律装置に関し、特に、入力音響信号の入力を中止した場合には、無駄に消費される電力を抑制できると共に、再び入力音響信号を入力さえすれば、何ら煩わしい操作をすることなく調律作業を続行することができる調律装置に関するものである。
【０００２】
【従来の技術】従来より、エレクトリック・ギター（被調律装置）から入力される入力音響信号のピッチと基準ピッチとの差分を判別して表示する調律装置が知られている。この調律装置にはバッテリーで駆動するものがあり、このバッテリーの消費電力を節約するためにオートパワーオフ機能を有する調律装置がある。しかし、オートパワーオフ機能を有する調律装置では、有効な入力音響信号のピッチが検出されてから又は操作子の操作がされてから所定時間が経過すれば、自動的に電源スイッチがオフにされてしまう。よって、入念に調律操作を行いたい場合や複数台のエレクトリック・ギターを一度に調律したい場合のように調律作業に時間がかかる場合には、調律作業が終わらないうちに自動的に電源スイッチがオフにされてしまう。従って、調律作業を続行するには再び電源スイッチを入れ直さなければならず煩わしかった。
【０００３】
そこで、特開２００２−２４４６５３号公報には、このオートパワーオフ機能を解除するＡｕｔｏＰｏｗｅｒＯＦＦスイッチを有する調律装置が開示されている。このＡｕｔｏＰｏｗｅｒＯＦＦスイッチを有する調律装置によれば、電源スイッチを入れる際や調律作業の途中で、ＡｕｔｏＰｏｗｅｒＯＦＦスイッチをオンにすればオートパワーオフ機能は解除される。よって、調律作業に時間がかかる場合であっても、予めＡｕｔｏＰｏｗｅｒＯＦＦスイッチをオンにすれば、自動的に電源スイッチがオフにされることはない。従って、再び電源スイッチを入れ直すという煩わしい操作をすることなく、調律作業を続行することができる。
【０００４】
【特許文献１】
特公昭５９−５００７２号公報（第０００７段落等、図２，３）
【０００５】
【発明が解決しようとする課題】しかしながら、上述したＡｕｔｏＰｏｗｅｒＯＦＦスイッチを有する調律装置において、ＡｕｔｏＰｏｗｅｒＯＦＦスイッチをオンにしてオートパワーオフ機能を解除しても、何らかの理由で入力音響信号の入力を中止する場合がある。かかる場合、オートパワーオフ機能は解除されているので、有効な入力音響信号のピッチが検出されてから又は操作子の操作がされてから所定時間経過しても電源スイッチはオフにならずバッテリーが無駄に消費されるという問題点があった。
【０００６】
一方、このバッテリーの無駄な消費を抑制すべく、入力音響信号の入力を中止する場合には、ＡｕｔｏＰｏｗｅｒＯＦＦスイッチをオフにしてオートパワーオフ機能を復帰させたり、電源スイッチ自体をオフにしたりすることも考えられる。しかし、入力音響信号の入力を再開するにあたっては、入力音響信号を入力する前に、再び、電源スイッチを入れ直すという煩わしい操作をする必要がある。
【０００７】
本発明は、この問題を解消すべくなされたものであって、入力音響信号の入力を中止した場合には、無駄に消費される電力を抑制できると共に、再び入力音響信号を入力さえすれば、何ら煩わしい操作をすることなく調律作業を続行することができる調律装置を提供することを目的とするものである。
【０００８】
【課題を解決するための手段】この目的を達成するために請求項１記載の調律装置は、入力音響信号のピッチと基準ピッチとの差分を判別して報知するためのものであって、所定の回路に通常の電源を供給する通常モードおよび前記所定の回路への電源供給を制限または遮断する省電力モードを有する電源供給手段と、前記入力音響信号の有無を検出する入力信号検出手段と、その入力信号検出手段により入力音響信号が検出されると、前記電源供給手段を省電力モードから通常モードに切り換えるよう制御する電源制御手段とを備えている。
【０００９】
この請求項１記載の調律装置によれば、入力音響信号の有無が入力信号検出手段によって検出されており、入力信号検出手段により入力音響信号が検出されると、電源制御手段によって電源供給手段が所定の回路への電源供給を制限または遮断する省電力モードから所定の回路に通常の電源を供給する通常モードに切り換えられる。
【００１０】
請求項２に記載の調律装置は、入力音響信号のピッチと基準ピッチとの差分を判別して報知するためのものであって、所定の回路に通常の電源を供給する通常モードおよび前記所定の回路への電源供給を制限または遮断する省電力モードを有する電源供給手段と、前記入力音響信号の有無を検出する入力信号検出手段と、その入力信号検出手段が所定時間入力信号を検出しない場合には、前記電源供給手段を通常モードから省電力モードに切り換えるよう制御する電源制御手段とを備えている。
【００１１】
この請求項２に記載の調律装置によれば、入力音響信号の有無が入力信号検出手段によって検出されており、入力信号検出手段が所定時間入力信号を検出しない場合には、電源制御手段によって電源供給手段が所定の回路に通常の電源を供給する通常モードから所定の回路への電源供給を制限または遮断する省電力モードに切り換えられる。
【００１２】
請求項３に記載の調律装置は、請求項１に記載の調律装置において、前記電源制御手段は、前記入力信号検出手段が所定時間入力信号を検出しない場合には、前記電源供給手段を通常モードから省電力モードに切り換えるよう制御する。
【００１３】
本発明の調律装置により調律を行う場合、最初に音響信号を入力した瞬間は、音響信号のレベルが所定値以下であり、省電力モードであるために入力音響信号のピッチと基準ピッチとの差分の判別は行なわれず、レベルが所定値を越え、通常モードに切り換えられた後、判別が行われることになる。しかし、判別が行われない時間は短く、実用上問題ない。尚、この発明を効果装置などの音響信号を入力し、何らかの処理を行って出力する装置に応用した場合には、この短い時間楽音が出力されないことになり実用にならない。
【００１４】
【発明の実施の形態】以下、本発明の好ましい実施例について、添付図面を参照して説明する。図１は、本発明の実施例である調律装置１と、被調律装置としてのエレクトリック・ギター２（以下、単に「ギター」と称す）とを示した正面図である。調律装置１はギター２と配線接続され、ギター２から入力される入力音響信号のピッチと基準ピッチとの差分を判別して報知するための装置である。
【００１５】
調律装置１の表示パネル３には、調律する弦を設定する基準ピッチ設定スイッチ４と、その基準ピッチ設定スイッチ４で設定した弦に対応する音名を表示する音名表示部５と、入力音響信号のレベルを調節するレベル調節ダイヤル６と、入力音響信号のピッチと基準ピッチとの差分をアナログメータによって報知する差分報知部７と、調律装置全体のオン／オフをする電源スイッチ８と、その電源スイッチ８の状態をＬＥＤによって表示する電源表示部９とが配設されている。また、側方の側面には、ギター２と配線接続するための音響信号入力端子１０（図２参照）が穿設されている。
【００１６】
音名表示部５には、ギター２の弦数（６本）に対応して、左から順に「Ｅ」、「Ａ」、「Ｄ」、「Ｇ」、「Ｂ」及び「Ｅ」の６つの基本音名を表示できるように構成されている。例えば、第５弦の調律を行う場合には、音名表示部５の第５弦に対応する「Ａ」が点灯表示するように基準ピッチ設定スイッチ４を操作する。
【００１７】
この調律装置１によれば、調律者は基準ピッチ設定スイッチ４を操作して、調律する弦を設定する。調律する弦に対応する音名は音名表示部５において点灯表示されるので、調律者は、この音名表示部５で調律する弦に対応する音名を確認する。調律する弦を設定すると、その弦に対応した基準ピッチが後述するＲＯＭ１５から読み出される。調律する弦が弾弦されると、入力音響信号が入力され、その入力音響信号のピッチと読み出された基準ピッチとが比較される。その結果、入力音響信号のピッチと基準ピッチとの差分が差分報知部７のアナログメータに表示される。このアナログメータの表示に基づき、調律者は弦の張力を調節してアナログメータが真ん中を指すように調律する。
【００１８】
図２は調律装置１の電気的回路図であり、図３は電源制御部２３の詳細な電気的回路図である。この調律装置１は音響信号入力端子１０と、主制御回路１１と、電源供給回路１２と、電源制御回路１３とを備えている。
【００１９】
音響信号入力端子１０は、ギター２から入力される入力音響信号をＡ／Ｄコンバータと、音響信号検出部２２とに入力するものである。音響信号入力端子１０の一端は配線を介してギター２に接続されており（図１参照）、他端は主制御回路１１のＡ／Ｄコンバータと、電源制御回路１３の音響信号検出部２２とに接続されている。ギター２から音響信号入力端子１０を介して入力される入力音響信号は、Ａ／Ｄコンバータによってデジタル信号に変換されると共に、音響信号検出部２２によってその入力音響信号の有無が検出される。
【００２０】
主制御回路１１は、ギター２から入力される入力音響信号のピッチと基準ピッチとの差分を判別して報知するための回路である。主制御回路１１は、ＣＰＵ１４と、ＲＯＭ１５と、ＲＡＭ１６と、差分報知部７とを備えている。
【００２１】
ＣＰＵ１４は、ＲＯＭ１５に記憶されている本装置に関する各種プログラムに基づいて本装置を制御する演算装置であり、ワンチップマイコンで構成されている。このＣＰＵ１４はＡ／Ｄコンバータと入出力ポート（Ｐｏｒｔ１，Ｐｏｒｔ２，Ｐｏｒｔ３）とを備えている。
【００２２】
Ａ／Ｄコンバータは、アナログ信号をデジタル信号にするものである。音響信号入力端子１０と接続され、音響信号入力端子１０を介して入力された入力音響信号はデジタル信号に変換された後に、そのピッチが検出される。Ｐｏｒｔ１は、後述する操作子検出部２１から入力される信号を入力するものである。Ｐｏｒｔ２は、検出された入力音響信号のピッチと基準ピッチとの差分を差分報知部７に出力するものである。Ｐｏｒｔ３は、入力音響信号のピッチを検出したことを電源制御部２３の第１入力端子ＩＮ−１に出力するものであり、入力音響信号のピッチを検出した場合には、Ｌｏｗレベルの信号を電源制御部２３の第１入力端子ＩＮ−１に出力する。
【００２３】
ＲＯＭ１５は、ＣＰＵ１４を制御するプログラム及び本装置の基準ピッチデータ等が格納された不揮発性のメモリである。ＲＡＭ１６は、ＣＰＵ１４のワーキングＲＡＭエリアとして使用されると共に、演算結果などの一時記憶エリアとして使用される書き換え可能な揮発性のメモリである。
【００２４】
電源供給回路１２は、電源制御回路１３を介して主制御回路１１に電源を供給するための回路である。この電源供給回路１２は、電源として約１０ボルトの電圧を供給するバッテリー１７と、電源スイッチ８と、電源表示部９と、電源制御回路１３に電源が供給されたことを電源制御部２３に報知するリセット信号を出力するＲＥＳＥＴ回路１８と、主制御回路１１への電源供給を許容又は遮断する電子スイッチの役割を有するトランジスタ１９とを備えている。
【００２５】
バッテリー１７の一端は接地されており、他端は電源スイッチ８の一端に接続されている。電源スイッチ８の他端は、抵抗Ｒ１を介してダイオードで構成された電源表示部９のアノード端子と、ＲＥＳＥＴ回路１８の一端と、後述する電源制御部２３の電源入力端子Ｖと、トランジスタ１９のコレクタ側とに接続されている。電源表示部９のカソード端子は接地されており、ＲＥＳＥＴ回路１８の他端は後述する電源制御部２３のＲＥＳＥＴ端子に接続されており、トランジスタ１９のエミッタ側は主制御回路１１の電源入力端子２０に接続されている。また、トランジスタ１９のベース側は後述する電源制御部２３の出力端子に接続されている。
【００２６】
この電源供給回路１２では、電源スイッチ８が操作されてオンになるとバッテリー１７から電源表示部９に電源が供給されて電源表示部９が点灯する。また、電源制御部２３の電源入力端子Ｖを介して電源制御回路１３に電源が供給され、電源制御回路１３が起動する。この電源制御回路１３が起動するタイミングで、ＲＥＳＥＴ回路１８から電源制御部２３のＲＥＳＥＴ端子に短時間のＨｉレベルの信号が出力される。更に、トランジスタ１９は、ベース側に接続されている電源制御部２３の出力端子からの信号に応じて、コレクト側からエミッタ側への電源供給を許容して、エミッタ側から主制御回路１１に電源が供給される。この状態が通常モードであり、主制御回路１１において、上述した動作が実行される。
【００２７】
電源制御回路１３は、電源供給回路１２から主制御回路１１への電源供給を制御するための回路である。電源制御回路１３は、操作子検出部２１と、音響信号検出部２２と、電源制御部２３とを備えている。
【００２８】
操作子検出部２１は、基準ピッチ設定スイッチ４又はレベル調節ダイヤル６の操作情報を検出して、検出した操作情報をＣＰＵ１４のＰｏｒｔ１と、電源制御部２３の第２入力端子ＩＮ−２とに入力するものである。操作子検出部２１は、ＣＰＵ１４のＰｏｒｔ１と、電源制御部２３の第２入力端子ＩＮ−２とに接続されており、基準ピッチ設定スイッチ４等が操作された場合には、その操作情報をＰｏｒｔ１を介してＣＰＵ１４に出力すると共に、Ｌｏｗレベルの信号を電源制御部２３の第２入力端子ＩＮ−２に出力する。
【００２９】
音響信号検出部２２は、入力音響信号の有無を検出するものであり、入力音響信号の音量を検出できるように構成されている。音響信号検出部２２は、音響入力端子１０と、後述する電源制御部２３の第３入力端子ＩＮ−３と接続されている。音響入力端子１０を介して入力音響信号が入力されると、その入力音響信号が所定値以上の音量であれば、電源制御部２３の第３入力端子ＩＮ−３にＬｏｗレベルの信号を出力する。
【００３０】
電源制御部２３は、電源供給回路１２から主制御回路１１への電源供給を遮断する信号（遮断信号）と、電源供給回路１２から主制御回路１１への電源供給を許容する信号（許容信号）とをトランジスタ１９のベース側に出力するものである。ここで、電源制御部２３については、図３を参照して詳細に説明する。電源制御部２３は、ＮＯＲ回路２４と、ＯＲ回路２５と、タイマ回路である単安定マルチバイブレータ２６と、その単安定マルチバイブレータ２６からトランジスタ１９に出力される信号のパルス幅を設定する抵抗Ｒ２とを備えている。
【００３１】
ＮＯＲ回路２４の入力端は、第１端子ＩＮ−１を介してＰｏｒｔ３と、第２端子ＩＮ−２を介して操作子検出部２１と、第３端子ＩＮ−３を介して音響信号検出部２２とに接続されている。ＮＯＲ回路２４の反転出力端は、ＯＲ回路２５の入力端に接続されている。また、ＯＲ回路２５の入力端には電源制御部２３のＲＥＳＥＴ端子を介してＲＥＳＥＴ回路１８の他端も接続されている。ＯＲ回路２５の出力端は単安定マルチバイブレータ２６の入力端ＩＮと接続されており、単安定マルチバイブレータ２６の出力端ＯＵＴはトランジスタ１９のベース側に接続されている。また、抵抗Ｒ２の一端は、単安定マルチバイブレータ２６のＳＴＡＲＴ端子と電源入力端子Ｖとの間に配設されている。
【００３２】
この電源制御部２３では、Ｐｏｒｔ３又は操作子検出部２１又は音響信号検出部２２から各入力端子を介してＮＯＲ回路２４の入力端にＬｏｗレベルの信号が出力されると、ＮＯＲ回路２４の反転出力端からＨｉレベルの信号がＯＲ回路２５の入力端に入力される。ＯＲ回路２５の入力端にＮＯＲ回路２４からのＨｉレベルの信号又はＲＥＳＥＴ回路１８からのＨｉレベルの信号が入力されると、ＯＲ回路２５の出力端から単安定マルチバイブレータ２６の入力端ＩＮにＨｉレベルの信号が入力される。このＨｉレベル信号をうけて単安定マルチバイブレータ２６は、タイマをクリアにし、新たにカウントを開始すると共に、出力端ＯＵＴからトランジスタ１９のベース側にＨｉレベルの信号（許容信号）を出力する。こうして、トランジスタ１９のコレクタ側からエミッタ側へ電源供給がなされ、バッテリー１７からトランジスタ１９を介して主制御回路１１に電源が供給される（通常モード）。
【００３３】
一方、カウントを開始して所定時間（所定のカウント値）が経過する前に、再びＯＲ回路２５からＨｉレベルの信号が出力されない場合には、単安定マルチバイブレータ２６は、タイマをクリアにし、新たにカウントを開始すると共に、その出力端ＯＵＴからトランジスタ１９のベース側にＬｏｗレベルの信号（遮断信号）を出力する。こうして、トランジスタ１９のコレクタ側からエミッタ側への電源供給が遮断され、バッテリー１７から主制御回路１１への電源供給路も遮断される。この状態が省電力モードであり、主制御回路１１への電源供給が遮断されるので、主制御回路１１において、消費される電力が抑制される。
【００３４】
次に、上述したように構成された調律装置１の動作について説明する。電源スイッチ８が操作されてオンになると電源制御回路１３に電源が供給され、電源制御回路１３が起動すると共に、トランジスタ１９のコレクタ側に電源が供給される。また、電源制御回路１３が起動するタイミングで、ＲＥＳＥＴ回路１８からＯＲ回路２５の入力端子に短時間のＨｉレベルの信号（リセット信号）が出力される。このＨｉレベルの信号をうけてＯＲ回路２５は、単安定マルチバイブレータ２６にＨｉレベルの信号を出力する。このＨｉレベルの信号をうけて単安定マルチバイブレータ２６はタイマのカウントを開始すると共に、トランジスタ１９のベース側にＨｉレベルの信号（許容信号）を出力する。よって、トランジスタ１９のコレクタ側からエミッタ側への電源供給が許容され、バッテリー１７からトランジスタ１９を介して主制御回路１１に電源が供給される（通常モード）。
【００３５】
また、単安定マルチバイブレータ２６がタイマのカウントを開始してから、所定時間が経過する前（所定のカウント値の終了前）に、基準ピッチ設定スイッチ４が操作されたり、ギター２から入力音響信号が入力されたりすると、操作子検出部２１又は音響信号検出部２２からＮＯＲ回路２４を介してＯＲ回路２５にＨｉレベルの信号が入力される。このＨｉレベルの信号をうけてＯＲ回路２５は、単安定マルチバイブレータ２６にＨｉレベルの信号を出力する。このＨｉレベルの信号をうけて単安定マルチバイブレータ２６はタイマのカウントをクリアにすると共に、新たにタイマのカウントを開始し、トランジスタ１９のベース側にＨｉレベルの信号（許容信号）を出力する。こうして、主制御回路１１には電源が供給され続ける。
【００３６】
一方、単安定マルチバイブレータ２６がタイマのカウントを開始してから、所定時間が経過するまでに、再びＯＲ回路２５から単安定マルチバイブレータ２６にＨｉレベルの信号が出力されない場合（スイッチの操作がなく、入力音響信号も検出できない場合）には、所定時間が経過すると、単安定マルチバイブレータ２６は、タイマをクリアにし、新たにカウントを開始すると共に、出力端ＯＵＴからトランジスタ１９のベース側にＬｏｗレベルの信号（遮断信号）を出力する。こうして、トランジスタ１９のコレクタ側からエミッタ側への電源供給が遮断され、バッテリー１７から主制御回路１１への電源供給路も遮断される（省電力モード）。即ち、通常モードから省電力モードに切り換わる。
【００３７】
よって、所定時間の間に入力音響信号が検出できない場合（入力音響信号の入力を中止した場合）には、主制御回路１１において消費される電力を抑制することができる。また、所定時間の間に入力音響信号が検出できない場合であっても、基準ピッチ設定スイッチ４やレベル調節ダイヤル６の操作がされている場合には、主制御回路１１への電源供給は遮断されず、主制御回路１１は通常と同様に動作するので、主制御回路１１は基準ピッチ設定スイッチ４やレベル調節ダイヤル６の操作情報を認識することができる。
【００３８】
上述のように主制御回路１１への電源供給が遮断された後に、再び基準ピッチ設定スイッチ４やレベル調節ダイヤル６が操作されれば操作子検出部２１によって操作情報が検出される。また、ギター２から入力音響信号が入力されれば音響信号検出部２２によって入力音響信号が検出される。こうして、操作子検出部２１が基準ピッチ設定スイッチ４やレベル調節ダイヤル６の操作情報を検出し又は音響信号検出部２２が入力音響信号を検出すると、操作子検出部２１又は音響信号検出部２２は上述したのと同様に作用し、主制御回路１１に再び電源が供給され、省電力モードから通常モードに切り換わる。
【００３９】
従って、電源供給を遮断した後であっても、再び入力音響信号を入力さえすれば、主制御回路１１は通常と同様に動作するので、従来のように再び電源スイッチを入れ直す等の煩わしい操作することなく調律作業を続行することができる。また、音響信号検出部２２により入力音響信号が検出されない場合であっても、操作子検出部２１により基準ピッチ設定スイッチ４の操作情報が検出されれば、主制御回路１１は通常の動作を実行する。よって、基準ピッチ設定スイッチ４を操作した直後に、入力音響信号の入力をした場合には、既に、主制御回路１１は通常と同様に動作するので、主制御回路１１への電源供給の遅れにより、入力した入力音響信号のピッチが検出できないという弊害を防止することができ、確実に入力音響信号のピッチを検出することができる。
【００４０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４１】
例えば、本実施例の調律装置１では、タイマ回路としての単安定マルチバイブレータ２６から出力される信号に応じて、トランジスタ１９を作用させ、バッテリー１７から主制御回路１１への電源供給を許容又は遮断する場合について説明した。しかしながら、このトランジスタ１９に代えてＣＰＵ１４の有するスリープ機能を利用しても良い。このスリープ機能は、入力音響信号の入力を中止した場合には、主制御回路１１に供給される電源を制限して、再び入力信号が検出された場合には、主制御回路１１に電源を供給するように機能するものである。具体的には、ＣＰＵ１４にスリープ端子を設け、単安定マルチバイブレータ２６の出力端ＯＵＴを、そのスリープ端子に接続し、このスリープ端子に出力される信号に応じてバッテリー１７から主制御回路１１への電源供給を許容又は制限するように構成しても良い。更に、所定時間のカウントをするタイマ回路としての単安定マルチバイブレータ２６に代えてＣＰＵ１４の有するカウント機能を利用しても良い。かかる場合には電源制御手段をＣＰＵ１４によって構成することができ、電源の制御を容易にすることができる。
【００４２】
また、本実施例では、所定時間を規定するために抵抗Ｒ２を用いる場合ついて説明した。しなしながら、所定時間を規定するための手段としてはかかる抵抗Ｒ２に限定されるものではない。例えば、抵抗Ｒ２に代えて可変抵抗器を配設し、調律者の操作によって所定時間を調節できるように構成しても良い。
【００４３】
また、本実施例では被調律装置としてギター２を使用する場合について説明した。しかしながら、被調律装置としてはギター２に限定されるものでなく、例えば、電子ピアノ、マイクロホン等であっても良く、入力された入力音響信号が音響信号検出部２２によって検出できるものであれば良い。
【００４４】
【発明の効果】請求項１に記載の調律装置によれば、入力音響信号の有無が入力信号検出手段によって検出されており、入力信号検出手段により入力音響信号が検出されると、電源制御手段によって電源供給手段が所定の回路への電源供給を制限または遮断する省電力モードから所定の回路に通常の電源を供給する通常モードに切り換えられる。よって、再び入力音響信号を入力さえすれば、省電力モードから通常モードに切り換わり、所定の回路に通常の電源が供給され、通常の機能として入力音響信号のピッチと基準ピッチとの差分を判別して報知する。従って、従来のように再び電源スイッチを入れ直す等の煩わしい操作をすることなく調律作業を続行することができるという効果がある。
【００４５】
請求項２に記載の調律装置によれば、入力音響信号の有無が入力信号検出手段によって検出されており、入力信号検出手段が所定時間入力信号を検出しない場合には、電源制御手段によって電源供給手段が所定の回路に通常の電源を供給する通常モードから所定の回路への電源供給を制限または遮断する省電力モードに切り換えられる。よって、入力信号検出手段が所定時間入力信号を検出しない場合には、所定の回路への電源供給が制限または遮断されるので、無駄に消費される電力を抑制することができるという効果がある。
【００４６】
請求項３に記載の調律装置によれば、請求項１記載の調律装置の奏する効果に加え、入力信号検出手段が所定時間入力信号を検出しない場合には、電源制御手段によって電源供給手段が通常モードから省電力モードに切り換えられる。よって、入力信号検出手段が所定時間入力信号を検出しない場合、即ち、入力音響信号の入力を中止した場合には、通常モードから省電力モードに切り換わり、所定の回路への電源供給が制限または遮断される。従って、入力音響信号の入力を中止した場合には、無駄に消費される電力を抑制することができるという効果がある。
【図面の簡単な説明】
【図１】本発明の実施例である調律装置とエレクトリック・ギターとを示した正面図である。
【図２】調律装置の電気的回路図である。
【図３】電源制御部の詳細な電気的回路図である。
【符号の説明】
１　　　　　　　調律装置
８　　　　　　　電源スイッチ（電源供給手段の一部）
１１　　　　　　主制御回路
１２　　　　　　電源供給回路（電源供給手段の一部）
１３　　　　　　電源制御回路（電源制御手段の一部）
１４　　　　　　ＣＰＵ（電源制御手段の一部）
１７　　　　　　バッテリー（電源供給手段の一部）
１９　　　　　　トランジスタ（電源供給手段の一部）
２２　　　　　　音響信号検出部（入力信号検出部）
２３　　　　　　電源制御部（電源制御手段の一部）
【図１】
2004109625.tif 000003
【図２】
2004109625.tif 000004
【図３】
2004109625.tif 000005